(57)【要約】【解決手段】  マーカー及び押し部材には、接続部に接続されている横方向伸張部が設けられている。接続部は、マーカー／押し部材を、ステントの近位又は遠位端に接続する。横方向伸張部は、マーカー／押し部材に加えられる力を、一部は接続部材に加えられ、一部はステント構造の接続部材に直結していない部分に加えられるように、分配する。【選択図】          図２
2008508033.tif 000002
【特許請求の範囲】
【請求項１】
医療用留置のための拡張型ステントにおいて、
一連の構造部材で形成されており、内側表面、外側表面、近位端及び遠位端を備えている略円筒形のステント構造であって、一連の半径方向開口部が、前記内側表面と外側表面の間で前記ステント構造を貫通して伸張していて、前記ステント構造を、圧縮直径から拡張直径に拡張させることができるようになっている、ステント構造と、
前記ステント構造の前記近位及び遠位端の少なくとも一方に接続されている押し部材であって、前記押し部材は、前記押し部材の第１の側に沿って接続部を介して接続されており、更に、前記第１の側から離れて配置されている第２の側と、前記第１及び第２側に接続されている長手方向部材と、を備えており、前記第２側は、ホルダーに接触するようになっていて、前記長手方向部材は、前記ホルダーによって加えられる力を前記接続部と前記ステント構造に伝達するようになっている、押し部材と、を備えており、
前記長手方向部材と前記接続部は、横方向伸張部に更に接続されており、前記横方向伸張部は、前記第１側に沿って、前記ステント構造に隣接して配置されていて、前記長手方向部材によって伝達される前記力の一部分が、前記接続部に直接接続されていない前記ステント構造の一部分に分配されるようになっている、ステント。
【請求項２】
前記押し部材は、２つの前記長手方向部材と、前記押し部材を半径方向に貫通して伸張する開口部と、を備えており、前記開口部は、前記２つの長手方向部材と、前記押し部材の前記第１及び第２側と、によって画定され、放射線不透過性材料で充填されている、請求項１に記載のステント。
【請求項３】
前記第２側は丸みを帯びており、前記押し部材の端面は、これにより前記第１側から離れた頂点を形成している、請求項１又は２の何れかに記載のステント。
【請求項４】
前記頂点と前記横方向伸張部の間を伸張している前記長手方向部材の側面は、前記ステント構造の長手方向軸から角度が付いている、請求項１乃至３の何れかに記載のステント。
【請求項５】
前記ステント構造に隣接して配置されている前記横方向伸張部の側面は、前記２つの構造部材の接合部の凸形状に対応する凹形状を有している、請求項１乃至４の何れかに記載のステント。
【請求項６】
前記頂点は、前記開口部の中心線に沿って配置されている、請求項１乃至５の何れかに記載のステント。
【請求項７】
前記第２側は平坦であり、前記押し部材の端面は、これにより前記近位及び遠位端の内の前記一方に平行に伸張している、請求項１、２、４、５又は６に記載のステント。
【請求項８】
前記平坦な端面と前記横方向伸張部の間を伸張している前記長手方向部材の側面は、前記ステント構造の長手方向軸にほぼ平行である、請求項１、２、３、５、６又は７に記載のステント。
【請求項９】
前記開口部は、前記押し部材の中心線に沿って配置されている、請求項１乃至８の何れかに記載のステント。
【請求項１０】
医療用留置のための拡張型なステントにおいて、
一連の構造部材で形成されており、内側表面、外側表面、近位端及び遠位端を備えている略円筒形のステント構造であって、前記構造部材は、前記内側表面と外側表面の間で前記ステント構造を貫通して伸張している一連の半径方向開口部を画定していて、前記ステント構造を、圧縮直径から拡張直径に拡張させることができるようになっており、前記構造部材の内の少なくとも２つは、前記圧縮直径では前記ステント構造の長手方向軸に沿って互いにほぼ平行に伸張しており、前記２つの構造部材は、前記近位及び遠位端の内の一方で、接合部に沿って一体に接続されている、ステント構造と、
前記ステント構造の前記近位及び遠位端の内の前記一方に接続されている押し部材であって、前記押し部材は、前記押し部材の第１側に沿って接続部を介して接続されており、前記接続部は、前記接合部に隣接して配置されており、前記押し部材は、更に、前記第１側から離れて配置されている第２側を備えていて、前記第２側は、ホルダーに接触するようになっており、前記ホルダーによって加えられる力が前記押し部材を通して前記接続部と前記ステント構造に伝達されるようになっている、押し部材と、を備えており、
前記押し部材と前記接続部は、横方向伸張部に更に接続されており、前記横方向伸張部は、前記第１側に沿って、前記接合部に隣接して配置されていて、前記押し部材を通して伝達される前記力の一部分が、前記接続部から離れている前記接合部に分配されるようになっている、ステント。
【請求項１１】
前記接合部に隣接して配置されている前記横方向伸張部の側面は、前記２つの構造部材の前記接合部の凸形状に対応する凹形状を有しており、前記押し部材の前記第２側は、丸みを帯びており、その端面は、前記第１側から離れた頂点を形成しており、前記押し部材の側面は、前記頂点と前記横方向伸張部の間を伸張していて、前記ステント構造の長手方向軸から角度が付いている、請求項１０に記載のステント。
【請求項１２】
前記押し部材は、前記押し部材を半径方向に貫通して伸張する開口部を備えており、前記開口部は、前記押し部材の前記第１及び第２側と、前記第１及び第２側を接続している２つの長手方向部材とによって画定され、前記開口部は、放射線不透過性材料で充填されており、前記押し部材は、更に、前記開口部の互いに反対側に配置されている２つの前記横方向伸張部を備えており、前記２つの長手方向部材のそれぞれの側面は、前記ステント構造の前記長手方向軸から角度が付いており、前記頂点は、前記開口部の中心線に沿って配置されている、請求項１０又は１１に記載のステント。
【請求項１３】
前記接合部に隣接して配置されている前記横方向伸張部の側面は、前記２つの構造部材の前記接合部の凸形状に対応する凹形状を有しており、前記押し部材の前記第２側は、平坦で、その端面は、前記近位及び遠位端の内の前記一方と平行に伸張しており、前記押し部材の側面は、前記平坦な端面と前記横方向伸張部の間を伸張していて、前記ステント構造の長手方向軸とほぼ平行になっている、請求項１０に記載のステント。
【請求項１４】
前記押し部材は、前記押し部材を半径方向に貫通して伸張する開口部を備えており、前記開口部は、前記押し部材の前記第１及び第２側と、前記第１及び第２側を接続している２つの長手方向部材とによって画定され、前記開口部は、放射線不透過性材料で充填されており、前記押し部材は、更に、前記開口部の互いに反対側に配置されている２つの前記横方向伸張部を備えており、前記２つの長手方向部材のそれぞれの側面は、前記ステント構造の前記長手方向軸とほぼ平行であり、前記開口部は、前記押し部材の中心線に沿って配置されている、請求項１０又は１３に記載のステント。
【請求項１５】
医療用留置のための拡張型なステントにおいて、
一連の構造部材で形成されており、内側表面、外側表面、近位端及び遠位端を備えている略円筒形のステント構造であって、一連の半径方向開口部が、前記内側表面と外側表面の間で前記ステント構造を貫通して伸張していて、前記ステント構造を、圧縮直径から拡張直径に拡張させることができるようになっている、ステント構造と、
前記ステント構造の前記近位及び遠位端の少なくとも一方に接続されているマーカーであって、前記マーカーの第１の側に沿って接続部を介して接続されており、更に、前記第１側から離れて配置されている第２の側と、前記第１と第２側を接続している側面と、を備えているマーカーと、を備えており、
前記側面と前記接続部は、前記接続部から円周状に外向きに伸張している横方向伸張部を更に備えており、前記横方向伸張部は、前記第１側に沿って、前記ステント構造に隣接して配置されている、ステント。
【請求項１６】
前記マーカーの前記側面は、前記ステント構造の長手方向軸から角度が付いている、請求項１５に記載のステント。
【請求項１７】
前記第２側は、丸みを帯びており、前記マーカーの端面は、それにより前記第１側から離れた頂点を形成している、請求項１５又は１６に記載のステント。
【請求項１８】
前記マーカーの前記側面は、前記ステント構造の長手方向軸にほぼ平行である、請求項１５に記載のステント。
【請求項１９】
前記第２側は平坦であり、前記マーカーの端面は、これにより前記近位及び遠位端の前記一方に平行に伸張している、請求項１５、１６又は１８に記載のステント。
【請求項２０】
前記ステント構造に隣接して配置されている前記横方向伸張部の側面は、それぞれ、前記構造部材の内の２つの接合部の凸形状に対応する凹形状を有している、請求項１５、１６、１７、１８、又は１９に記載のステント。
【発明の詳細な説明】
【技術分野】
【０００１】
本発明は、概括的には、医療用器具に関しており、具体的には、ステントの近位又は遠位端に押し部材を備えたステントに関する。
【背景技術】
【０００２】
近年、脈管系、結腸、胆道、尿路、食道、気管などの様な様々な器官の治療にステントを使用することは、一般的になっている。ステントは、通路を通る流れを制限する遮断、閉塞、狭窄症及び他の同様の問題を治療するのに最も一般的に用いられている。今日、治療のためにステントが広く用いられている或る分野は、狭くなった動脈を通る血流を改善又は維持するために、血管内ステントを血管系内に留置することを伴っている。ステントは、冠状血管と末梢血管の両方を含め、血管系の様々な血管（例えば、頸動脈、上腕、腎臓、腸骨、及び大腿部）を治療するのに有用であることが分かっている。
【０００３】
冠状血管内にステントを使用することについては、狭窄（即ち、血管の狭小化）を伴う心臓疾患に苦しむ人が毎年増加しているので、医学界が特別な関心を寄せている。これは、その様な疾患を治療する医療処理に対する要求の増大に繋がっている。心臓疾患が広く発症しているのは、人々の寿命が先の世代よりも一般的に長くなった事実と相まって、人々の運動不足の傾向及び不健康な食物の広まりを含む、多くの社会的変化に依るものである。ステント式処置は従来の処置より相当に侵襲性が低いので、ステントは、冠状血管狭窄の治療に対する好評な選択肢となっている。従来、冠状動脈の狭窄は、バイパス手術によって治療されてきた。一般に、バイパス手術は、胸腔を開くために胸骨を分割し、閉塞又は狭窄した動脈にバイパスを形成するために代わりの血管を心臓に接ぐことを伴っている。しかしながら、冠状動脈バイパス手術は、患者にとって危険で長期の療養時間を要する非常に侵襲性の高い処置である。冠状血管及び他の通路の問題の治療に関する非侵襲的な医療処置に対して高まっている需要に取り組むために、医学界は、バイパス手術の様な従来の侵襲的処置から転換し始め、治療の選択肢には今や様々な型式のステントを使った処置が増えている。
【０００４】
多くの異なる型式のステント及びステントを使用する処置が考えられる。しかしながら、一般に、ステントは、通常、経皮的及び経腔的に身体の通路を通して挿入される管状支持構造として設計される。従来、ステントは、ステントを圧縮及び拡張させ易くするためにステントの支持構造を介して伸張する一連の半径方向開口部を有する、金属又は他の合成材料で作られている。ステントは、非金属材料を含む多くの種類の材料で作ることができるが、ステントを作るのに用いられる金属材料の一般的な例には、ステンレス鋼、ニチノール、コバルト・クロム合金、非晶質金属、タンタル、プラチナ、金、及びチタンが含まれる。通常、ステントは、治療する領域内にステントを位置決めし、次にステントを圧縮直径から拡張直径に拡張させることによって、通路内に留置される。圧縮直径から拡張するステントの能力のおかげで、ステントを、圧縮直径にある状態で、様々な狭い身体の通路を通して治療する領域に通すことができる。ステントを、治療する領域に位置決めして拡張させると、ステントの管状の支持構造は、通路の内壁に接触してこれを半径方向に支持する。その結果、留置されたステントは、通路が閉鎖するのを機械的に防ぎ、通路を開いた状態に維持して、流体が通路を通って流れ易いようにする。
【０００５】
ステントは、一般に、バルーン拡張型又は自己拡張型であると特徴付けることができる。しかしながら、ステントの設計と留置処置は多岐に亘っている。例えば、外科医は、或る型式の処置には特定の型式のステントを好むことが多いが、バルーン拡張型ステントと自己拡張型ステントの用途は、重なることが多く、一つの型式のステントに関係する処置は、もう一方の型式のステントにも適合することが多い。
【０００６】
バルーン拡張型ステントは、冠状動脈の狭窄を治療するのに広く用いられている。普通、バルーン拡張型ステントは、比較的容易に塑性変形する延性材料で作られている。金属製ステントの場合、焼きなまし処理された３１６Ｌステンレス鋼が、この型式のステントに対する一般的な選択肢である。バルーン拡張型ステントを留置するための１つの処置には、ステントを、先端にバルーンが付いたカテーテルのバルーンの周辺に取り付ける段階と、カテーテルを、治療する領域まで血管に通してゆく段階と、が含まれている。バルーンは、治療する血管の狭窄部分に位置決めされると、カテーテルを通してバルーンに食塩水を送ることによって拡張される。バルーンは、同時に、血管を膨張させ、膨張部分内でステントを半径方向に拡張させる。その後、バルーンは、萎まされ、先端にバルーンが付いたカテーテルは、通路から引き抜かれる。これによって、拡張したステントは、所望の場所に、永久に留置されたままになる。ステントは、バルーンに取り付けられると、塑性変形によって小さな直径に圧縮されるので、延性金属は、それ自体がこの型式のステントに適している。その後、バルーンが血管内で拡張されると、ステントは、再び塑性変形し、直径が大きくなり、所望の半径方向支持構造を形成する。従来、バルーン拡張型ステントは、これらのステントの変形可能な性質のために、末梢血管よりも冠状血管で広く用いられてきた。この理由の１つは、末梢血管が、外界からの頻繁な衝撃（例えば、人の腕、脚などへの衝突）を受け、それが身体組織を通して血管に伝達され易いことである。末梢血管の場合は、外傷が、バルーン拡張型ステントを、予想外のやり方で再び塑性変形させ、厳しい及び／又は悲劇的な結果を引き起こす危険性が大きい。しかしながら、冠状血管の場合は、冠状血管が、外界から伝達される衝撃を受けることは稀なので、この危険性は非常に少ない。
【０００７】
自己拡張型ステントは、様々な管路を治療するために、外科医によって益々用いられ、受け入れられている。自己拡張型ステントは、通常、形状記憶材料又はばねの様に作用する材料で作られている。この型式のステントに用いられる代表的な金属には、ニチノールと３０４ステンレス鋼が含まれる。自己拡張型ステントを留置するための一般的な処置は、２段階の処理を伴っている。第１に、先に述べた様に、治療する狭窄血管部分を、バルーンを使って膨張させる。第２に、ステントを、膨張した血管部分に留置する。ステントを留置し易くするため、ステントは、圧縮した小直径の状態でカテーテルの端部に装着され、通常は、カテーテルの端部でステントをシースに挿入することによって小直径に保持される。ステントは、次に、バルーンで膨張させた部分に案内され、保持シースをステントから引き離すことによってカテーテルから取り外される。保持シースから取り外されると、ステントは外向きに弾け、ステントが血管の壁に接触して、それを押すようになるまで、直径が拡張する。従来、自己拡張型ステントは、これらのステントに用いられる金属の形状記憶特性に依り、冠状血管よりも末梢血管で多く使用されてきた。末梢血管の場合の自己拡張型ステントの利点の１つは、外界からの衝撃が、ステントを永久変形させないことである。代わりに、普通でない過酷な衝撃の間は、ステントは、一次的に変形することはあるが、衝撃が取り除かれると、拡張した状態に戻る。しかしながら、自己拡張型ステントは、バルーン拡張型ステントと比べると、冠状血管には好ましくないと考えられることが多い。この理由の１つは、使用される延性金属は所望の寸法及び形状に塑性変形させることができるので、バルーン拡張型ステントは、具体的な血管直径と形状に合わせて正確に作成できることである。それに比べて、自己拡張型ステントは、特定の拡張可能範囲を備えて設計される。従って、留置後、自己拡張型ステントは、血管の壁に対して圧力を掛け続ける。
【０００８】
通常、ステントには、ステント構造の近位端及び／又は遠位端に沿って取り付けられ又は形成されているマーカー及び／又は押し部材が設けられている。これらの機構は、多くの目的に用いられ、普通は２つ以上の機能を果たす。例えば、マーカーは、普通はステントの近位端と遠位端の両方に設けられ、外科医がステント装着処置の間にステントを位置決めするのを支援する。普通は、ステント構造自体をＸ線及び別の視覚化装置で容易に見ることはできないので、一般的に、大部分のステントに別体のマーカーが必要である。これは、部分的には、ステント構造に通常用いられている材料の種類と、ステント構造の構造部材の細さによるものである。マーカーは、放射線不透過性がステントの近位端と遠位端に沿って増す機構を提供することによって、この視覚化問題に取り組んでいる。機構（即ち、マーカー）は、通常、幅がステント構造の構造部材よりも広くなっており、普通は金又はプラチナの様な放射線不透過性材料で満たされている。その結果、マーカーの放射線不透過性材料は、ステント構造自体より、外科医の視覚化装置で容易に見ることができる。
【０００９】
押し部材は、多くのステントの近位端及び／又は遠位端に用いられる。押し部材は、自己拡張型ステントに特に有用であるが、バルーン拡張型ステントに用いてもよい。何れの場合も、押し部材は、ステントの端部に、押し付けられる別体の接触面を提供する。その結果、ステント構造自体は、直接押し付けられない。自己拡張型ステントの場合、ステントの押し部材は、幾つかの異なる時間に使用される。例えば、自己拡張型ステントと、それらの対応する送出システムの製造の間に、ステントは、圧縮状態で送出システムに装着されなければならない。自己拡張型ステント用の送出システムは、当該分野の技術者には周知であり、従って、詳細な説明は必要ない。しかしながら、先に述べた様に、自己拡張型ステント用の送出システムは、普通は、ステントの外側表面を拘束し、ステントが留置の部位で取り外されるまで、ステントを圧縮したまま保持する保持スリーブを、カテーテルの端部に有している。ステントを保持スリーブに装着するための一般的な製造方法は、ステントを圧縮し、同時に、ステントをスリーブ内に滑動させるためにステントの一端を押す段階を含んでいる。代わりに、ステントは、先ず圧縮して移送管に押し込み、次に、再度押して移送管を通して送出システムに入れてもよい。
【００１０】
押し部材は、ステントを留置用の送出システムから取り外すために、自己拡張型ステントの近位端にも用いられる。先に述べた様に、自己拡張型ステントは、留置のため、保持スリーブをステントから引き離すことによって取り外される。通常、送出システムは、更に、ステントの近位端に接触する保持スリーブ内にホルダーを有している。一般に、ホルダーとスリーブは、スリーブが引き戻されるとホルダーが所定の位置に維持されるように、互いに対して動くように設計されている。その結果、ホルダーは、スリーブが引き戻される際に、ステントが保持スリーブと共に後方に動くことのないようにする。実際、ステントは、スリーブが後方に引っ張られると、ホルダーによってスリーブから押し出される。
【００１１】
通常、ステント上のマーカーは、押し部材としても用いられ、その逆でもある。現在のステント構造に関する１つの問題は、押し部材によってステント構造に伝達される押し力が、ステント構造の小数の構造部材に集中することである。その結果、ステントを押す際に、押し力が、構造部材を曲げて変形させることもある。極端な場合、この集中力が、ステント構造の一部を永久変形させることもある。この問題は、特に、長いステントの場合に問題になる。一般に、目下医療の治療に用いられている大部分のステントは、長さが８ｃｍ以下である。しかしながら、８ｃｍより長いステントが、浅大腿動脈の様な様々な末梢動脈を治療するのには一般的になってきている。これらの様な長いステントが送出システム内への装着中又は取り外し中の何れかに押されると、ステントを動かすために、より高い摩擦力を克服しなければならない。これらのステントの中には、長さが長いために、短いステントよりも、ステントが一般的に不安定になるものもある。その結果、ステントを押しているときに起こる曲げと変形の問題は、長いステントの方が顕著で、損傷が大きくなる傾向にある。しかしながら、この種の問題は全てのステントに存在する。大部分の押し部材は、マーカーとしても用いられているので、視覚化するために受け入れ可能な構造部材を備えながら、この種の曲げの問題を最小にする解決法を特定することは難しかった。更に、押し部材は、ステントの圧縮と拡張を妨げてはならず、そのことは、利用可能な代替策を制限している。
【００１２】
従って、改良されたマーカー及び／又は押し部材が、ステントの近位端と遠位端に望まれていることは、本発明人には明白である。これら及びその他の問題の解決法について、以下にもっと詳しく説明する。
【発明の開示】
【課題を解決するための手段】
【００１３】
押し力を、より均一にステント構造に分配するマーカー及び押し部材を規定している。結果として、ステントの端部に押し力を加えるときに起こるステント構造の曲げと変形が最小になる。上記実施形態では、マーカーは、マーカーをステント構造に接続するマーカーの接続部に取り付けられ又は形成されている横方向伸張部を有している。横方向伸張部は、力の一部を、接続部に直接接続されていないステント構造の構造部材に分配する。従って、押し部材として用いられる先行技術によるマーカーとは異なり、押し力全体が、接続部に直接接続されている構造部材だけに集中することはない。
【発明を実施するための最良の形態】
【００１４】
以下の説明を図面と関連付けて読めば、本発明を良く理解頂けるであろう。
【００１５】
さて図面を参照すると、具体的に図１では、ステント１０は、先行技術によるマーカー１２と共に示されている。ホルダー１４も、マーカー１２の端面１６に接触して示されている。図示のホルダー１４は、マーカー１２の端部１６に力を加えるのに用いられる様々な型式のホルダーの代表的な例を示しているに過ぎない。通常、図示の様なマーカー１２は、ステント構造２０の近位及び遠位端１８の両方に設けられている。マーカー１２は、普通は、ステント１０の周囲に等しく間隔を空けて配置されている。一般に、ステント１０の各端部１８には、４個から８個のマーカー１２が設けられている。通例、各マーカー１２は、ステント構造２０と一体に形成され、ステント構造２０を構成しているのと同じ材料のリング２２によって画定されている。半径方向開口部２４は、この様に各マーカー１２の中心を通って形成されている。普通は、半径方向開口部２４には、金又はプラチナの様な放射線不透過性材料のリベットが充填されている。図示の様に、マーカー１２は、接続部２６によってステント構造に接続されている。
【００１６】
図１に示している様な先行技術によるマーカー／押し部材に関する１つの問題は、マーカー１２が、押し力を、ステント構造２０の比較的小さい領域に集中させることである。従って、図示のステント１０では、各マーカー１２を通して伝達される全ての力が、接続部２６に直接接続されているステント構造２０の構造部材２８だけに集中する。その結果、接続部２６に直接接続されている構造部材２８は、ステント構造２０の残りの部分よりも強い押し力を受ける。その結果、ホルダー１４がマーカー１２に力を加えたとき、ステント構造２０の一部分を曲げるか、変形させることになる。
【００１７】
別の図面には、新しいマーカー／押し部材が示されている。図２と図４は、マーカー４０の或る実施形態を示している。マーカー４０は、ステント構造４４の近位又は遠位端４２の何れか、又はステント構造４４の両端部４２に取り付けられ、又は形成されている。周知の技術における場合と同様に、多くの型式のステント構造が考えられる。一般に、ステント構造４４は、略円筒形構造を画定する一連の構造部材又はストラット４８、５０で作られている。従って、ステント構造４４は、通常、内側及び外側表面と、近位及び遠位端４２を有している。
【００１８】
一般に、ステント４６は、圧縮及び拡張するように設計されている。図２は、圧縮状態にあるステント構造４４の例を示しており、図４は、同じステント構造４４の例を拡張状態で示している。半径方向の圧縮及び拡張は、内側表面と外側表面の間にステント構造４４を通って伸張する一連の半径方向開口部５２を設けることによって実現される。無数の型式のステント構造が知られており、及び／又は考えられる。例えば、或る型式のステント構造は、レーザーで金属カニューレからステント構造を切り出すことによって作られる。その様な構造では、全てのステント構造が１つの管から切り出されるので、マーカーを含めて全ての構造部材が、普通は一体に相互接続される。しかしながら、別の構造も考えられる。例えば、ステント構造は、編組み線構造であってもよく、その場合、個々のワイヤーは、構造が圧縮及び拡張できる様式で一体に編まれる。その様な場合、マーカーは、ワイヤーから一体に形成してもよいし、別体として構造に取り付けてもよい。
【００１９】
図２に示している様に、マーカー４０は、第１側５４に沿って、接続部５６を介してステント構造４４に取り付けられている。図２では、３つの構造部材４８が接続部５６に直接接続されており、図４では、２つの構造部材４８が接続部５６に直接接続されている。半径方向開口部５８は、放射線不透過性材料をマーカー４０に挿入できるように、マーカー４０の中心を貫通して設けられている。ステント構造４４から離れて配置されているマーカー４０の第２側６０は、接触面を有しており、これに対してホルダーが押し力を加える。図２と図４の場合に、マーカー４０の端面６２は、半径方向開口部５８を中心とする丸みを帯びた頂点６２である。マーカー４０の第１側５４と第２側６０は、長手方向部材６４によって一体に接続されている。先に述べた実施形態の場合、長手方向部材６４は、半径方向開口部５８の側部も画定している。図２と図４に示す実施形態では、長手方向部材６４の外側表面は、ステント構造４４の長手方向軸線から斜めになっている。長手方向部材６４と接続部５６は、更に、マーカー４０の各側の横方向伸張部６８に接続されている。横方向伸張部６８は、ステント構造４４に隣接するマーカー４０の第１側５４に沿って伸張している。ステント構造４４に隣接して配置されている横方向伸張部６８の側面７０は、丸みを帯びた凹形状部７０で形成されている。この丸みを帯びた凹形状部７０は、部材５０が接合部７４に沿って一体に接合されている２つの構造部材５０の丸みを帯びた凸形状部７２に対応するように設計されている。従って、横方向伸張部６８とステント構造４４の接続部７４の間の可能性のある接触領域は、横方向伸張部６８とステント構造４４の両方に相補型の形状を備えることによって最大になる。
【００２０】
マーカー４０の利点の１つは、今や明白である。押し力をステント構造の小数の構造部材に集中させる先行技術によるマーカー／押し部材とは異なり、先に述べたマーカー４０は、押し力を、広い領域のステント構造４４に分配する。従って、図１に示している先行技術によるマーカー１２は、各マーカー１２に加えられる押し力を、マーカー１２に直接接続されている３つの構造部材２８だけに集中させるのに対して、先に述べたマーカー４０は、押し力を、マーカー４０に直接接続されている構造部材４８と、マーカー４０に直接接続されていない他の構造部材５０の両方に分配する。図２に示している実施形態の場合、マーカー４０は、押し力を、接続部５６に加えて、横方向伸張部６８を介しても分配する。その結果、押し力の一部は、接続部５６に隣接して配置されている構造部材５０の接合部７４にも加えられる。従って、押し力は、ステント構造４４のより多くの構造部材４８、５０で分配される。押し力はステント構造４４に亘ってより均一に広がるので、ステント構造がステント送出システムに押し込まれるか、又はステント４６が留置のために解放されてステント送出システムから押し出されるときに、ステント構造４４に曲げ及び変形は殆ど起こらない。長いステントは、摩擦が大きいため、通常、強い押し力を必要とするので、これは、長いステントを使用するときには特に有用である。結果として、長いステントは、通常、短いステントよりも曲げと変形を被り易い。これは、８ｃｍより長いステントに顕著な問題である。
【００２１】
図３は、本発明の別の実施形態を示している。先に説明した実施形態と同様に、マーカー８０も、マーカー８０の第１側８４に沿い、接続部８２によってステント構造４４に取り付けられている。同様に、半径方向開口部８６が、マーカー８０の中心を貫通して設けられている。しかしながら、この実施形態では、マーカー８０の第２側９０の端面８０は、丸くない平坦部８８である。従って、端面８８は、ステント構造４４の端部４２と平行である。長手方向部材９４の外側表面９２も真っ直ぐであり、ステント構造４４の長手方向軸にほぼ平行に伸張している。先に説明した実施形態と同様に、図３のマーカー８０にも、接続部８２から外向きに伸張する横方向伸張部９６が設けられている。横方向伸張部９６の側面９８は、好適に、２つの構造部材５０の接合部７４の丸みを帯びた凸形状部２２と相補的な丸みを帯びた凹形状部９８に形成されている。
【００２２】
図３に記載の実施形態が先に説明したのと同じ利点を提供していることは、これで明らかである。図２に示している実施形態と同様に、この実施形態は、押し力をステント構造４４の広い領域に分配する。更に、先の実施形態と同様に、大きいマーカー４０、８０の方が、先行技術によるマーカーよりも、留置中に良く見える。しかしながら、図３に示している実施形態は、真っ直ぐな側面９２を各マーカー８０に備えており、その側面は、ステント１００が圧縮されるとき、互いに接触する。これは、ステントを様々な使用段階で操作する際のステント１００の安定性を更に改良する。この実施形態は、ホルダーと接触するための平坦な端面８８も備えている。
【００２３】
従って、ここに提供している本発明には多くの利点のあることが、今や明らかである。説明してきた利点に加えて、現在は認識されていないが、後に明白になる更に別の利点があることも考えられる。例えば、ここに説明している実施形態は、概ね、ステントのマーカーに関係していると説明しているが、ここで教示されている原理は、視覚化するためには必ずしも必要ではない押し部材にも当てはまることに留意されたい。
【００２４】
以上、本発明の好適な実施形態について説明してきたが、本発明は、その様に限定されるものではなく、本発明から逸脱すること無く、修正を加えることができるものと理解されたい。本発明の範囲は、特許請求の範囲によって定義されており、文字通り又は等価的に、特許請求の範囲の意味に含まれる全ての装置を包含するものとする。
【図面の簡単な説明】
【００２５】
【図１】ステントの端部の一部の上面図であり、先行技術によるマーカー構成を示している。
【図２】ステントの端部の一部の上面図であり、丸みを帯びた頂点と横方向伸張部を備えているマーカーを示している。
【図３】ステントの端部の一部の上面図であり、平坦な端面と横方向伸張部を備えているマーカーを示している。
【図４】図２に示すステントの一部の上面図であり、拡張したステントを示している。
【図１】
2008508033.tif 000003
【図２】
2008508033.tif 000004
【図３】
2008508033.tif 000005
【図４】
2008508033.tif 000006
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
医療用留置のための拡張型ステントにおいて、
一連の構造部材で形成されており、内側表面、外側表面、近位端及び遠位端を備えている略円筒形のステント構造であって、一連の半径方向開口部が、前記内側表面と外側表面の間で前記ステント構造を貫通して伸張していて、前記ステント構造を、圧縮直径から拡張直径に拡張させることができるようになっており、前記構造部材は、前記圧縮直径では前記構造の長手方向軸に沿って互いにほぼ平行に伸張している、ステント構造と、
前記ステント構造の前記近位及び遠位端の少なくとも一方に接続されている押し部材であって、前記押し部材は、前記押し部材の第１の側に沿って接続部を介して接続されており、更に、前記第１の側から離れて配置されている第２の側を備えていて、前記第２側は、ホルダーに接触するようになっており、前記押し部材は、前記ホルダーによって加えられる力を前記接続部と前記ステント構造に伝達するようになっている、押し部材と、を備えており、
前記接続部は、横方向伸張部に更に接続されており、前記横方向伸張部は、前記第１側に沿って、前記ステント構造に隣接して配置されていて、前記押し部材に直接接続されていない構造部材との接触領域を有しており、前記押し部材によって伝達される前記力の一部分が、前記接続部に直接接続されていない構造部材に直接加えられるようになっている、ステント。
【請求項２】
前記押し部材は、２つの前記長手方向部材と、前記押し部材を半径方向に貫通して伸張する開口部と、を備えており、前記開口部は、前記２つの長手方向部材と、前記押し部材の前記第１及び第２側と、によって画定され、放射線不透過性材料で充填されている、請求項１に記載のステント。
【請求項３】
前記第２側は丸みを帯びており、前記押し部材の端面は、これにより前記第１側から離れた頂点を形成している、請求項１又は２の何れかに記載のステント。
【請求項４】
前記頂点と前記横方向伸張部の間を伸張している前記長手方向部材の側面は、前記ステント構造の長手方向軸から角度が付いている、請求項１乃至３の何れかに記載のステント。
【請求項５】
前記ステント構造に隣接して配置されている前記横方向伸張部の側面は、前記２つの構造部材の接合部の凸形状に対応する凹形状を有している、請求項１乃至４の何れかに記載のステント。
【請求項６】
前記頂点は、前記開口部の中心線に沿って配置されている、請求項１乃至５の何れかに記載のステント。
【請求項７】
前記第２側は平坦であり、前記押し部材の端面は、これにより前記近位及び遠位端の内の前記一方に平行に伸張している、請求項１、２、４、５又は６に記載のステント。
【請求項８】
前記平坦な端面と前記横方向伸張部の間を伸張している前記長手方向部材の側面は、前記ステント構造の長手方向軸にほぼ平行である、請求項１、２、３、５、６又は７に記載のステント。
【請求項９】
前記開口部は、前記押し部材の中心線に沿って配置されている、請求項１乃至８の何れかに記載のステント。
【請求項１０】
前記接合部に隣接して配置されている前記横方向伸張部の側面は、前記２つの構造部材の前記接合部の凸形状に対応する凹形状を有していて、前記力が加えられると両者が係合するようになっており、前記押し部材の前記第２側は、丸みを帯びており、その端面は、前記第１側から離れた頂点を形成しており、前記押し部材の側面は、前記頂点と前記横方向伸張部の間を伸張していて、前記ステント構造の長手方向軸から角度が付いている、請求項１乃至９の何れかに記載のステント。
【請求項１１】
前記押し部材は、前記押し部材を半径方向に貫通して伸張する開口部を備えており、前記開口部は、前記押し部材の前記第１及び第２側と、前記第１及び第２側を接続している２つの長手方向部材とによって画定され、前記開口部は、放射線不透過性材料で充填されており、前記押し部材は、更に、前記開口部の互いに反対側に配置されている前記横方向伸張部を２つを備えており、前記２つの長手方向部材のそれぞれの側面は、前記ステント構造の前記長手方向軸から角度が付いており、前記頂点は、前記開口部の中心線に沿って配置されている、請求項１乃至１０の何れかに記載のステント。
【請求項１２】
前記接合部に隣接して配置されている前記横方向伸張部の側面は、前記２つの構造部材の前記接合部の凸形状に対応する凹形状を有しており、前記押し部材の前記第２側は、平坦で、その端面は、前記近位及び遠位端の内の前記一方と平行に伸張しており、前記押し部材の側面は、前記平坦な端面と前記横方向伸張部の間を伸張していて、前記ステント構造の長手方向軸とほぼ平行になっている、請求項１乃至１１の何れかに記載のステント。
【請求項１３】
前記押し部材は、前記押し部材を半径方向に貫通して伸張する開口部を備えており、前記開口部は、前記押し部材の前記第１及び第２側と、前記第１及び第２側を接続している２つの長手方向部材とによって画定され、前記開口部は、放射線不透過性材料で充填されており、前記押し部材は、更に、前記開口部の互いに反対側に配置されている前記横方向伸張部を２つ備えており、前記２つの長手方向部材のそれぞれの側面は、前記ステント構造の前記長手方向軸とほぼ平行であり、前記開口部は、前記押し部材の中心線に沿って配置されている、請求項１乃至１２の何れかに記載のステント。
【請求項１４】
前記マーカーの前記側面は、前記ステント構造の長手方向軸から角度が付いている、請求項１乃至１３の何れかに記載のステント。
【請求項１５】
前記第２側は、丸みを帯びており、前記マーカーの端面は、それにより前記第１側から離れた頂点を形成している、請求項１乃至１４の何れかに記載のステント。
【請求項１６】
前記マーカーの前記側面は、前記ステント構造の長手方向軸にほぼ平行である、請求項１乃至１５の何れかに記載のステント。
【請求項１７】
前記第２側は平坦であり、前記マーカーの端面は、これにより前記近位及び遠位端の前記一方に平行に伸張している、請求項１乃至１６の何れかに記載のステント。
【請求項１８】
前記ステント構造に隣接して配置されている前記横方向伸張部の側面は、それぞれ、前記構造部材の内の２つの接合部の凸形状に対応する凹形状を有している、請求項１乃至１７の何れかに記載のステント。
【国際調査報告】
2008508033.tif 000007
2008508033.tif 000008
2008508033.tif 000009